(57)【特許請求の範囲】
【請求項１】
記録媒体に記録されている音声データを再生する音声再生手段と、
前記記録媒体に記録されている音声データに関連する情報を取得する関連情報取得手段と、
映像データを含む番組放送を受信する放送受信手段と、
前記記録媒体に記録されている音声データの関連情報に基づいて、前記放送受信手段により受信した映像データを前記音声データに対応づけて記録する記録手段と、
前記記録手段に記録された映像データを再生する映像再生手段と、
前記音声再生手段により前記記録媒体の音声データを再生する際に、前記音声データに対応づけて記録した映像データを再生させる制御手段と、
を備えたことを特徴とする記録再生装置。
【請求項２】
前記記録媒体に記録されている音声データの関連情報は、曲名、アーティスト名のいずれかであることを特徴とする請求項１記載の記録再生装置。
【請求項３】
前記制御手段は、前記記録媒体に記録された音声データを再生すると共に前記記録手段に記録した前記音声データに対応づけられた映像データを再生する場合に、再生する音声データの再生時間情報と前記対応して記録された映像データの再生時間情報とに応じて、前記映像データの再生モードを切り替えることを特徴とする請求項２記載の記録再生装置。
【請求項４】
前記映像データの再生モードは、前記記録媒体に記録されている音声データの再生に映像データの再生を同期して再生する同期再生モード、映像データを静止画コマ送り再生するコマ送り再生モード、音声データに対応する複数の映像データをランダムに切り替えて再生するランダム再生モードのいずれかであることを特徴とする請求項３記載の記録再生装置。
【請求項５】
前記制御部は、前記記録媒体に記録されている音声データの関連情報に基づいて、再生する音声データの曲名情報と同一の映像データが対応づけられて記憶されている場合には同一曲名の映像データを再生させ、同一曲名の映像データが記憶されていない場合にはアーティスト名情報が同一の映像データを再生させることを特徴とする請求項４記載の記録再生装置。
【発明の詳細な説明】
【０００１】
【発明の属する技術分野】
本発明は、記録再生装置に係り、特に、記録媒体に記録されている音声データに関連する映像データを放送している放送を受信して音声データに関連付けて記録し、記録媒体に記録された音声データを再生する際に、対応する映像データを共に再生する記録再生装置に関する。
【０００２】
【従来の技術】
近年、ディジタル放送の実用化が進められている。ディジタル放送では、ディジタル圧縮技術を使ってチャネルを分割することにより、従来のアナログ放送の形態よりも大幅にチャネル数が増大する。つまり、ひとつのビットストリームに複数の番組が多重され、さらにこのようなビットストリームが複数伝送されることから、全体として非常に多くの番組が放送されることになる。このようなディジタル放送においては、多数のチャネルの中から所望のチャネルを容易に選択するために、放送チャネルに関する補助情報として、チャネルの属するカテゴリや、放送中の楽曲名、アーティスト名、アルバム名などを付加して放送している。また、ディジタル放送で受信した映像や音楽などを補助情報と共にハードディスク等に記録しておき、後で記録した映像や音楽を再生することが可能となっている。
【０００３】
また、従来、ＣＤ（コンパクトディスク）等の記録媒体に記録された音楽を再生するＣＤプレーヤ等の再生装置がある。また、ディジタル放送受信機、モニタ装置、ＣＤプレーヤ、ＤＶＤプレーヤ、ハードディスク装置等を相互に接続し、一つのオーディオビジュアルシステムとして動作させることも可能となっている。この場合、映像を含むコンテンツを再生する場合、例えば、ＤＶＤ−ＶｉｄｅｏやディジタルＴＶ放送を再生する場合には、再生した映像をモニタ装置に映し出すことになる。一方、映像を含まないコンテンツ、例えばＣＤを再生する場合には、再生曲のトラックＮｏ．、曲名、演奏時間等を表示したり、予め決められた画像（例えばＣＤが回転していることを示す画像）をモニタ装置に表示している。
【０００４】
【発明が解決しようとする課題】
ところで、従来のようにＣＤ等の映像なしのコンテンツを再生する場合、モニタ装置には再生曲のトラックＮｏ．、曲名、演奏時間等を表示するだけであったり、ディスクが再生中であることを示す画像を表示するものであったため、オーディオビジュアルシステムとして必ずしも利用者にとって有効に機能しているものではなかった。例えば、利用者がＣＤを再生するときに、再生曲のアーティストに関連する映像がモニタ装置に表示することができれば、利用者はＣＤを再生する際にもビデオクリップ的に楽しむことができるが、従来、利用者がこのようにＣＤを再生中に映像も一緒に楽しもうとした場合、再生するＣＤに合った映像データを、例えばハードディスクに記録された映像データの中から探して、ＣＤを再生すると共に映像データを再生させるようにするしかなかった。
【０００５】
また、利用者が持っているＣＤ等の映像なしのコンテンツを再生する際に、関連する映像を一緒に再生しようとする場合には、予め、そのＣＤに関連する映像データを記録装置等に記録しておかなければならず面倒であった。
【０００６】
以上から、本発明の目的は、映像を含まない音楽コンテンツを再生する際に、再生する音楽に関連する映像を自動的に再生することが可能な記録再生装置を提供することである。
【０００７】
また、本発明の目的は、利用者が所有している映像なしのコンテンツに関連する映像データを自動的に取得し記録することが可能な記録再生装置を提供することである。
【０００８】
【課題を解決するための手段】
上記課題は本発明によれば、記録媒体に記録されている音声データを再生する音声再生手段と、前記記録媒体に記録されている音声データに関連する情報を取得する関連情報取得手段と、映像データを含む番組放送を受信する放送受信手段と、前記記録媒体に記録されている音声データの関連情報に基づいて、前記放送受信手段により受信した映像データを前記音声データに対応づけて記録する記録手段と、前記記録手段に記録された映像データを再生する映像再生手段と、前記音声再生手段により前記記録媒体の音声データを再生する際に、前記音声データに対応づけて記録した映像データを再生させる制御手段とを備えた記録再生装置により解決される。
【０００９】
また、前記記録媒体に記録されている音声データの関連情報は、曲名、アーティスト名、再生時間のいずれかとすることが可能である。
また、前記制御手段は、前記記録媒体に記録された音声データを再生すると共に前記記録手段に記録した前記音声データに対応づけられた映像データを再生する場合に、再生する音声データの再生時間情報と前記対応して記録された映像データの再生時間情報とに応じて、前記映像データの再生モードを切り替えることができる。
【００１０】
また、前記映像データの再生モードは、前記記録媒体に記録されている音声データの再生に映像データの再生を同期して再生する同期再生モード、映像データを静止画コマ送り再生するコマ送り再生モード、音声データに対応する複数の映像データをランダムに切り替えて再生するランダム再生モードのいずれかとすることができる。
【００１１】
前記制御部は、前記記録媒体に記録されている音声データの関連情報に基づいて、再生する音声データの曲名情報と同一の映像データが対応づけられて記憶されている場合には同一曲名の映像データを再生させ、同一曲名の映像データが記憶されていない場合にはアーティスト名情報が同一の映像データを再生させることができる。
【００１２】
【発明の実施の形態】
図１は、本発明の記録再生装置を含むシステムの一構成例を示す図である。
同図において、１００はディジタル放送受信部、２００は記録再生部、３００はＣＤチェンジャ、４００はディスプレイ装置、５００はアンプ、６００はスピーカである。
【００１３】
ディジタル放送受信部１００は、アンテナ１、フロントエンド部（Ｆ／Ｅ）２、ベースバンド処理部３、データ分離部４、音声／映像デコード部５を含んで構成される。フロントエンド部２は、アンテナ１を介して受信した放送波信号の中から所望の受信周波数成分を抽出すると共に、この抽出した信号に対して周波数変換を行った中間周波数信号を出力する。
【００１４】
ベースバンド処理部３は、フロントエンド部２から出力される中間周波数信号に対して、直交復調処理、ＦＦＴ（高速フーリエ変換）復調処理を行って、インターリーブされた送信データを復調し、さらにこのインターリーブを解いて元のデータ列に戻してデータ分離部４へ出力する。
【００１５】
データ分離部４は、ベースバンド処理部３から入力されたデータの誤り検出／訂正処理を行い、映像データ、音声データ、情報データに分離し、映像データおよび音声データを音声／映像デコード処理部５へ出力し、チャネル名、番組名、放送中の曲名、アーティスト名、曲の演奏時間等の情報データを後述のコントロール部６へ出力する。
【００１６】
音声／映像デコード部５は、データ分離部４から入力される復号データを映像信号と音声信号にそれぞれデコードして、映像信号を後述の画像合成部９へ、音声信号を後述の音声信号切り替え部１０へ出力する。
【００１７】
記録再生部２００は、コントロール部６、ハードディスクドライブ（ＨＤＤ）等の記録装置７、操作部８、画像合成部９、音声信号切り替え部１０、メモリ１１、曲情報データベース１２を含んで構成される。
【００１８】
コントロール部６は、記録再生部２００のみならず、ディジタル放送受信部１００やＣＤチェンジャ３００等のオーディオビジュアルシステム全体を制御するものであり、ディジタル放送受信部１００による放送チャネルの選局制御を行ったり、ＣＤチェンジャ３００への再生曲の指示制御を行ったり、ディジタル放送受信部１００で受信した放送を記録装置（ＨＤＤ）７へ記録させる制御を行ったりする。ＣＤチェンジャ３００は、コントロール部６からのディスク再生指示に応じて、装置内にストックされた複数のディスクから指示されたディスクを選択して再生する。
【００１９】
記録装置（ＨＤＤ）７は、コントロール部６の制御によりディジタル放送受信部１００で受信した映像データ／音声データを記録するものである。操作部８は、ディジタル放送受信部１００の選局操作等や、ＣＤチェンジャ３００の再生曲の選曲操作、ディスク選択操作等や、記録装置（ＨＤＤ）７に記録された映像／音声データの再生指示操作等を行うものである。
【００２０】
画像合成部９は、音声／映像デコード部５から入力される映像信号とコントロール部６から入力されるメニュー画像、リスト画像等を合成してディスプレイ装置４００に表示させるものである。音声信号切り替え部１０は、音声／映像デコード部５からの音声信号と、ＣＤチェンジャ３００からのＣＤ再生音声信号とを切り替えてアンプ５００へ出力し、スピーカ６００から音声信号を出力させる。
【００２１】
曲情報データベース１１には、予め、数多くのＣＤのＴＯＣ情報に対応するＣＤのアルバム名、収録曲名、アーティスト名等の曲情報が記憶されていて、コントロール部６によりＣＤチェンジャにストックされたＣＤのＴＯＣ情報から、そのＣＤに収録されている曲名やアーティスト名等が検索が可能に構成されている。
【００２２】
メモリ１２は、ＣＤチェンジャ３００内にストックされているＣＤに収録されている曲情報をリストとして記憶するものである。具体的には、コントロール部６が、ＣＤチェンジャ３００内にストックされているディスクのＴＯＣ情報を基に曲情報データベース１２を参照することにより、曲名、アーティスト名を取得してメモリ１２に記憶したり、ディスクがＣＤテキスト対応ＣＤであれば、ＣＤから読み取ったテキスト情報から曲名、アーティスト名を取得してメモリ１２に記憶したりする。
【００２３】
また、コントロール部６は、メモリ１２に記憶された曲情報リストに含まれる曲名、アーティスト名に基づいて、ディジタル放送受信部１００からの情報データを参照して関連する放送がある場合に自動的に受信して記録装置（ＨＤＤ）７へ記録させる制御を行う。また、この時、記録した映像データがどの曲に対応する映像データであるかの情報をメモリ１２に記憶させる。
【００２４】
利用者が操作部８を操作して、ＣＤチェンジャ３００内のＣＤの再生指示を行った場合には、コントロール部６は、ＣＤチェンジャ３００へ指示されたディスクの指示された曲（トラック）の再生を指示すると共に、メモリ１２を参照して再生指示された曲に対応づけられて記憶装置（ＨＤＤ）７に記憶された映像データの再生を指示する。そして、コントロール部６は、音声信号切り替え部１０を制御してＣＤチェンジャ３００からの音声信号をアンプ５００で増幅してスピーカ６００から出力させると共に、音声／映像デコード部５を制御して記録装置（ＨＤＤ）７から該当する映像データを読み出して映像再生信号を出力させるようにし、ディスプレイ装置４００に映像を表示させる。
【００２５】
このようにすることで、ＣＤチェンジャ内のＣＤの曲を再生するときにＣＤの再生音声をスピーカ６００から出力すると共に、再生曲に関連する映像をディスプレイ装置４００に表示することが可能となる。
【００２６】
次に、メモリ１２に記憶する曲情報リストについて説明する。
図２はメモリ１２に記憶する曲情報リストの説明図である。同図に示すように、ＣＤチェンジャ３００内にストックされている複数のディスクに収録されている全ての曲について、アルバム名、アーティスト名、曲名、演奏時間情報がリストとして記憶される。また、既に対応する映像ファイル（映像データ）が記録装置（ＨＤＤ）７に記録されている場合には、その映像ファイル名、記録装置（ＨＤＤ）７の映像ファイルの開始アドレス、映像ファイルの再生モードも対応づけて記憶される。
【００２７】
ここで、対応する映像ファイルの再生モードについて説明すると、本実施例では、３つの再生モードを用意している。まず、１つ目が同期再生モードで、ＣＤに記録された曲の再生時間より映像ファイルの再生時間が大きい場合に、映像ファイルを通常の再生スピードで再生するモードである。２つ目が静止画コマ送り再生モードで、ＣＤに記録された曲の再生時間より映像ファイルの再生時間が小さい場合に、映像ファイルを静止画コマ送り再生するモードである。３つ目は、ランダム再生モードであり、曲名は異なるが、アーティスト名の同じ映像ファイルが記録装置（ＨＤＤ）７に記録済みである場合に、その映像をランダムに再生するモードである。これらの再生モードの決定は、関連する映像データを記録装置（ＨＤＤ）７へ記録する際に、情報データ（曲名、アーティスト名、演奏時間等）を参照することにより、曲の演奏時間と映像の再生時間とに基づいて決定され、再生モードが曲に対応して記憶される。
【００２８】
図３は、ＣＤチェンジャ３００内にストックされた複数のＣＤに収録されている曲に関連する映像データをディジタル放送から取得して、記録装置（ＨＤＤ）７へ記録する際の動作フローを示す図である。
【００２９】
まず、コントロール部６は、ＣＤチェンジャ３００を制御して、ＣＤチェンジャ３００内にストックされている全てのディスクのＴＯＣ情報を読み取る（Ｓ１０１）。
【００３０】
次に、コントロール部６はステップＳ１０１で読み出したＴＯＣ情報に基づいて、曲情報データベース１１を参照して、ＣＤチェンジャ３００内にストックされているディスクに収録されている曲の曲情報（アルバム名、アーティスト名、曲名等）を検索し、メモリ１２にＣＤチェンジャ３００内のディスクに収録されている曲のリストを作成して記憶する（ステップＳ１０２）。
【００３１】
その後、コントロール部６は、ディジタル放送受信部１００を制御して、放送番組の中に、メモリ１２に記憶したリストの曲に関連する映像放送があるか否かを監視する（ステップＳ１０３）。具体的には、ディジタル放送受信部１００のデータ分離部４から入力される情報データの中に、メモリ１２に記憶したリストの曲名またはアーティスト名があるか否かを監視する。
【００３２】
ステップＳ１０３で、リスト中の曲名またはアーティスト名と同じ情報データを含む放送がある場合には、その放送を受信し、映像データを記録装置（ＨＤＤ）７に記録する（ステップＳ１０４）。この時、放送波に含まれる情報データから得た映像データの再生時間情報と該当する曲の演奏時間情報とに基づいて、記録した映像ファイルの再生モードを決定し、曲に対応づけて映像ファイル名、記録装置（ＨＤＤ）でのファイルの開始アドレス、映像ファイルの再生モードをメモリ１２に記憶する。また、ディジタル放送が電子番組ガイド情報（ＥＰＧ）を提供している放送である場合には、ＥＰＧデータを参照してメモリ１２に記憶している曲に関連する映像放送を検索して記録予約し、記録予約した映像放送の放送時間になったときに映像データを記録装置（ＨＤＤ）７へ記録するようにしてもよい。
【００３３】
その後、ステップＳ１０３に戻り、メモリ１２に記憶したリスト中の曲に関連する映像放送があるか否かの監視動作を継続する。
【００３４】
次に、上述のようにしてＣＤチェンジャ３００内にストックされているＣＤの収録曲に関連する映像データが記録装置（ＨＤＤ）７に記録されているときに、利用者の操作等によってＣＤチェンジャ３００内のＣＤの収録曲が再生指示された場合の動作について図４の動作フローを用いて説明する。
【００３５】
まず、コントロール部６は、利用者が操作部８を操作してＣＤチェンジャ３００内のＣＤの再生指示を行ったか否かを監視している（ステップＳ２０１）。
【００３６】
ステップＳ２０１でＣＤの再生指示がされた場合、コントロール部６はメモリ１２に記憶している曲リストを参照し、再生曲の情報を読み出す（ステップＳ２０２）。
【００３７】
次に、ステップＳ２０２で読み出した再生曲の情報（対応する映像ファイル名、再生モード）に基づいて、記録装置（ＨＤＤ）７に関連する映像ファイルが記録済みであるか否かを判断する（ステップＳ２０３）。
【００３８】
ステップＳ２０３で、記録装置（ＨＤＤ）７に再生曲に関連する映像ファイルが記録されていない場合には、映像再生は行わず、ＣＤの再生音声信号のみを出力する（ステップＳ２０４）。
【００３９】
ステップＳ２０３で、記録装置（ＨＤＤ）７に再生曲に関連する映像ファイルが記録済みである場合には、ステップＳ２０２で読み出した再生曲の情報に基づいて映像ファイルの再生モードがいずれの再生モードであるのかを判断する（ステップＳ２０５）。
【００４０】
ステップＳ２０５で再生モードが同期再生モードであった場合には、コントロール部６は、ＣＤチェンジャ３００へＣＤの曲の再生を指示すると共に、対応する映像ファイルを記録装置（ＨＤＤ）７から音声／映像デコード部５へ出力させて、ＣＤの曲の再生音声に同期して映像データの再生を行い、ディスプレイ装置４００へ映像を表示させる（ステップＳ２０６）。
【００４１】
ステップＳ２０５で静止画コマ送り再生モードである場合には、コントロール部６は、ＣＤチェンジャ３００へＣＤの曲の再生を指示すると共に、対応する映像ファイルを記録装置（ＨＤＤ）７から音声／映像デコード部５へ出力させて、映像データのコマ送り再生を行い、ディスプレイ装置４００へ映像を表示させる（ステップＳ２０７）。
【００４２】
ステップＳ２０５でランダム再生モードである場合には、コントロール部６は、ＣＤチェンジャ３００にＣＤの曲再生を指示すると共に、対応する映像ファイル（アーティスト名が同じである映像ファイル）をランダムに選択して記録装置（ＨＤＤ）７から音声／映像デコード部５へ出力させて、映像データの再生を行い、ディスプレイ装置４００に映像を表示させる（ステップＳ２０８）。
【００４３】
以上のようにすることで、映像データを含まないＣＤに収録された曲に関連する映像データを自動的に記録することができ、また、ＣＤを再生する際にＣＤの音声出力を行うと共に再生曲に関連する映像を再生し、ディスプレイ装置に表示することができる。
【００４４】
尚、上記実施例の説明では、記憶装置（ＨＤＤ）に映像データを記録する際に、ＣＤの曲を再生する際の映像データの再生モードを対応づけて記憶しておくようにしたが、映像データを記録する際に再生モードを対応づけるのではなく、映像データの記録時には、ＣＤの曲に対応づけて映像データを記録装置に記録するだけとし、ＣＤの曲を再生する時に記録装置に記録された複数の映像データの中から再生曲に関連する映像データを検索し、再生曲の演奏時間と検索された映像データの再生時間とに基づいて映像データの再生モードを決定するようにしてもよい。
【００４５】
また、ＣＤの収録曲を再生するときに関連する映像データを記録時に設定した再生モードで再生するようにしたが、利用者がＣＤ再生時に映像データの再生モードを選択可能に構成することもできる。
【００４６】
また、多数のＣＤのＴＯＣ情報に対応する曲名、アーティスト名を記憶された曲情報データベース１１からＣＤチェンジャ内のディスクのＣＤの曲情報を取得するようにしたが、通信手段を設けて外部のデータベースと通信可能に構成し、ＣＤの収録曲の曲情報を外部のデータベース等から取得するようにすることも可能である。
【００４７】
また、映像データを含まない記録媒体の例としてＣＤを用いて説明したが、ＣＤに限らず、曲名、アーティスト名、演奏時間等の情報が曲データと共に記録されている記録媒体、例えば、ミニディスク、音楽ファイルの記録された半導体メモリカード、ハードディスク等の記録媒体であっても本発明を適用することができる。
【００４８】
以上、本発明を実施例により説明したが、本発明は請求の範囲に記載した本発明の主旨に従い種々の変更が可能であり、本発明はこれを排除するものではない。
【００４９】
【発明の効果】
以上本発明によれば、ＣＤ等に収録された曲に関連する映像データをディジタル放送から自動的に取得して記憶しておき、ＣＤ等の曲を再生する際に関連する映像データを共に再生するようにしたから、ＣＤ等の曲の再生を指示するだけで、音楽を聴きながら関連する映像を同時に見ることができる。
【００５０】
また、ＣＤ等の曲の関連情報を曲名またはアーティスト名とし、ディジタル放送から曲名またはアーティスト名が同一の映像データを取得するようにしたから、ＣＤ等の曲を再生する際に、より再生曲にあう映像を映し出すことができる。
【００５１】
また、ＣＤ等の曲を再生すると共に関連する映像データを再生する際に、曲の再生時間と映像データの再生時間とに基づいて、関連する映像データの再生モードを切り替えるようにしたから、再生曲の再生時間に応じて映像データの再生方法を自動的に切り替えることができ、便利である。
【図面の簡単な説明】
【図１】本発明の記録再生装置を含むシステムの一構成例を示す図である。
【図２】メモリ１２に記憶する曲情報リストの説明図である。
【図３】ＣＤチェンジャ３００にストックされたＣＤの収録曲に関連する映像データを記録装置（ＨＤＤ）７へ記録する際の動作フローを示す図である。
【図４】ＣＤチェンジャ内のＣＤの曲を再生する際の動作フローを示す図である。
【符号の説明】
１００・・・ディジタル放送受信部
２００・・・記録再生部
３００・・・ＣＤチェンジャ
４・・・データ分離部
５・・・音声／映像デコード部
６・・・コントロール部
７・・・記録装置（ＨＤＤ）
１０・・・音声信号切り替え部
１１・・・曲情報データベース
１２・・・メモリ
【図１】
0003794974.tif 000002
【図２】
0003794974.tif 000003
【図３】
0003794974.tif 000004
【図４】
0003794974.tif 000005